(57)【要約】【課題】原稿の変倍したい所望の領域を簡単に指定することができる画像処理装置、画像処理方法及びプログラムを提供する。【解決手段】用紙サイズと拡大率を含むコピー条件を入力した後、コピーボタンが押下されると、元画像（原稿）Ｇをスキャニングして得た画像データに基づきＣＰＵは表示装置の画面７ａにプレビュー画像Ｐを表示する。この際、画像Ｐと共に拡大中心位置指定用のカーソルＣと、拡大領域を示す枠Ｋを表示する。方向ボタン（十字キー）が操作されると、ＣＰＵはその操作で指示された方向にカーソルＣを移動させ、決定ボタンが押下されるとその時のカーソルＣの位置を拡大中心位置として取り込む。ＣＰＵは、用紙サイズと拡大率と拡大中心位置等とに基づいて領域Ｒを計算し、元画像の画像データから領域Ｒを切り出し、さらに拡大率での拡大処理を施し、印刷画像Ｐｓとして印刷する。【選択図】      図６
2005005768.tif 000002
【特許請求の範囲】
【請求項１】
原画像を変倍する際の変倍中心位置を指定する中心位置指定手段と、
前記変倍中心位置に基づいて、前記原画像が前記変倍中心位置を中心として指定の変倍率で変倍されたときに指定のサイズに収まることになる変倍画像の当該原画像における変倍前の領域を特定する画像領域特定手段と
を備えたことを特徴とする画像処理装置。
【請求項２】
原画像の画像データを取得する画像取得手段と、
前記原画像の画像データから前記画像領域特定手段により特定された前記領域を切り出す切出手段と、
前記切出手段により切り出された画像データに前記変倍率で変倍処理を施す変倍手段と、
前記変倍手段により変倍処理された前記画像データに基づく画像を出力する出力手段と
を備えたことを特徴とする請求項１に記載の画像処理装置。
【請求項３】
前記中心位置指定手段は、前記変倍中心位置を指示するための指示体を前記原画像と共に画面に表示する表示手段と、
前記指示体を移動させて前記変倍中心位置を指定する操作手段と
前記操作手段の操作で指示された方向に前記指示体を移動させる表示制御手段と
を備えたことを特徴とする請求項１又は請求項２に記載の画像処理装置。
【請求項４】
前記表示手段に表示された原画像上に前記領域を視認させうる枠画像を表示させるとともに、前記操作手段の操作による前記指示体の移動に追従して前記枠画像を移動させる領域表示手段を備えたことを特徴とする請求項３に記載の画像処理装置。
【請求項５】
前記中心位置指定手段は、画面上の所望する位置の座標を特定しうる符号群を前記原画像と共に表示する表示手段と、
前記変倍中心位置の座標を前記符号の組合せで入力する操作手段と
を備えたことを特徴とする請求項１又は請求項２に記載の画像処理装置。
【請求項６】
前記中心位置指定手段は、前記原画像の元となる原稿が載置される原稿載置面の少なくとも２辺に沿って該原稿載置面上の所望する位置の座標を特定しうる符号群が付された原稿台と、
前記変倍中心位置の座標を前記符号の組合せで入力する操作手段と
を備えたことを特徴とする請求項１又は請求項２に記載の画像処理装置。
【請求項７】
前記変倍率を指定する変倍率指定手段を備え、
前記画像領域特定手段は、前記領域を特定する際に前記変倍率指定手段により指定された変倍率を用いることを特徴とする請求項１乃至６のうちいずれか一項に記載の画像処理装置。
【請求項８】
印刷媒体サイズを指定するサイズ指定手段を備え、
前記画像領域特定手段が前記領域を特定する際に用いる前記指定のサイズは前記印刷媒体サイズから定まることを特徴とする請求項１乃至７のうちいずれか一項に記載の画像処理装置。
【請求項９】
前記画像領域特定手段は、前記変倍中心位置に基づいて、前記指定の変倍率と前記指定のサイズ情報を用いて前記領域を特定しうる複数の座標を算出する演算手段を備え、
前記切出手段は、前記原画像の画像データから、前記複数の座標により特定された領域を切り出してその切り出した画像データをメモリに記憶し、
前記変倍手段は、前記メモリから読み出した前記領域の画像データに前記変倍率にて変倍処理を施すことを特徴とする請求項２乃至８のいずれか一項に記載の画像処理装置。
【請求項１０】
原画像を変倍する際の変倍中心位置を指定する中心位置指定手段と、
変倍率を指定する変倍率指定手段と、
印刷媒体サイズを指定するサイズ指定手段と、
前記変倍中心位置と前記変倍率と前記サイズ情報とに基づいて、前記原画像が前記変倍中心位置を中心として指定の変倍率で変倍されたときに前記サイズ情報から定まる指定のサイズに収まることになる変倍画像の当該原画像における変倍前の領域を特定しうる複数の座標を算出する演算手段と、
原画像の画像データを取得する画像取得手段と、
前記原画像の画像データから前記複数の座標により特定される領域を切り出す切出手段と、
前記切出手段により切り出された画像データに前記変倍率で変倍処理を施す変倍手段と、
前記変倍処理後の画像データに基づき変倍画像を印刷媒体に印刷する印刷手段と
を備えたことを特徴とする画像処理装置。
【請求項１１】
原画像を変倍する際の変倍中心位置を指定する中心位置指定手順と、
前記変倍中心位置に基づいて、前記原画像が前記変倍中心位置を中心として指定の変倍率で変倍されたときに指定のサイズに収まることになる変倍画像の当該原画像における変倍前の領域を特定する画像領域特定手順と
を備えたことを特徴とする画像処理方法。
【請求項１２】
コンピュータが、操作手段の操作により指定された原画像の変倍中心位置と変倍率とサイズ情報とを入力する手順と、
コンピュータが、前記変倍中心位置と前記変倍率とサイズ情報とに基づいて、前記原画像が前記変倍中心位置を中心として指定の変倍率で変倍されたときに前記サイズ情報から定まる指定のサイズに収まることになる変倍画像の当該原画像における変倍前の領域を特定しうる複数の座標を算出する手順と、
コンピュータが、原画像の画像データをメモリから読み出して前記複数の座標により特定される領域を切り出して該領域の画像データをメモリに記憶する手順と、
コンピュータが、前記メモリから読み出した前記領域の画像データに前記変倍率で変倍処理を施す手順と
を備えたことを特徴とするプログラム。
【発明の詳細な説明】
【０００１】
【発明の属する技術分野】
本発明は、スキャナに原稿を読み込ませるなどして得た画像を指定された領域に収まるように変倍する画像処理装置、画像処理方法及びプログラムに関する。
【０００２】
【従来の技術】
従来、複写機や複合機などで原稿の拡大コピーを行う場合、拡大の基準となる拡大中心点は、原稿読み取り面（ガラス面）の１つの角（例えば右上の角）の頂点に固定されていた。
【０００３】
図１１は、従来の複合機で拡大コピーを行う場合の作用を示す説明図である。複合機の原稿読取り面の右上角の頂点が、拡大コピーする際の拡大基準点に固定されていた場合を考える。この場合、同図（ａ）に示すような原稿Ｇを拡大コピーするときに原稿Ｇの角（頂点）を原稿読取り面の拡大基準点Ｏに合わせて載置してコピーした場合、同図（ｂ）に示すように読み取り画像Ｐの左上頂点Ｑが拡大基準点となるため、左上の領域Ａが拡大された拡大画像ＭＤが印刷されていた。
【０００４】
また、特許文献１には、原稿の所望の領域を拡大して記録できる画像処理装置が開示されている。この画像処理装置では、複写開始前に原稿を透明ホルダに挟み、その透明ホルダにセクション状に区分けして引かれたラインと、その周囲にタテ、ヨコに描かれた１〜ｎ、１〜ｍの座標とを使って、所望のトリミング領域の座標を目視で把握し、その把握した各座標をテンキーで入力できるようになっている。よって、原稿を原稿読取り面（ガラス）に載置するだけで所望の領域を拡大コピーすることができる。なお、図１１は公知・公用の技術である。
【０００５】
【特許文献１】
特開平７−２６４３９６号公報  （第３、４頁、第２、２８図）
【０００６】
【発明が解決しようとする課題】
しかし、図１１に示した従来の拡大コピー方法では、原稿Ｇの角を原稿読取り面の拡大基準点Ｏに合わせてコピーするだけでは、図１１（ｂ）に示す拡大画像ＰＤのように本来中心に描きたい人物が拡大画像ＭＤの中心からずれてしまう。このように原稿Ｇの拡大したい領域が角ではない場合、拡大したい領域の中心点（例えば人物の顔の中心）が原稿読取り面の拡大基準点Ｏに一致するように原稿Ｇを原稿読取り面に対してずらして載置する必要があった。このとき、原稿カバーが邪魔になるため、原稿Ｇを折り曲げたり、原稿カバーを外すなどしなければならず、非常に不便であった。
【０００７】
また、特許文献１で示された画像処理装置においては、予め透明ホルダに原稿を挟んで原稿の拡大したい所望領域の座標を確認はできるものの、所望の領域を指定するために最低でも二点の座標（例えば領域が矩形であれば左上と右下の２点の座標）を入力しなければならないなど、煩雑な入力操作が必要であった。
【０００８】
本発明は、こうした実情に鑑みてなされたものであって、その目的は、原稿の変倍したい所望の領域を簡単に指定することができる画像処理装置、画像処理方法及びプログラムを提供することである。
【０００９】
【課題を解決するための手段】
上記の課題を解決するために、本発明は、原画像を変倍する際の変倍中心位置を指定する中心位置指定手段と、前記変倍中心位置に基づいて、前記原画像が前記変倍中心位置を中心として指定の変倍率で変倍されたときに指定のサイズに収まることになる変倍画像の当該原画像における変倍前の領域を特定する画像領域特定手段とを備えたことを要旨とする。なお、「指定の変倍率」、「指定のサイズ」は、ユーザが指定することもできるし、両者のうち少なくとも一方が予め設定された固定値であってもよい。
【００１０】
この発明によれば、原画像を変倍する際の変倍中心位置を指定することにより、原画像が変倍中心位置を中心として指定の変倍率で変倍されたときに指定のサイズに収まることになる変倍画像の当該原画像における変倍前の領域を特定できる。例えばこの特定できた領域を表示又は印刷など出力することできる。特定できた領域を表示させれば、指定した所望位置を中心に変倍される領域を事前に確認できる。また、特定できた領域を原画像から切り出しその画像データに変倍処理を施した後に印刷処理を施せば、指定した所望位置が中心にくる変倍画像を印刷できる。つまり、ユーザは所望の位置（変倍中心位置）を指定するだけで、その指定した位置が中心にくるように変倍される領域が確定される。従って、変倍すべき領域を特定するためにユーザが指定（入力）しなければならない点（座標）の数が１点で済む。つまり、領域を特定するために、複数の点の座標指定が不要となる。従って、領域を特定するために１点の座標指定で済むので、簡単な操作で所望の領域を指定することができる。
【００１１】
また、本発明では、原画像の画像データを取得する画像取得手段と、前記原画像の画像データから前記画像領域特定手段により特定された前記領域を切り出す切出手段と、前記切出手段により切り出された画像データに前記変倍率で変倍処理を施す変倍手段と、前記変倍手段により変倍処理された前記画像データに基づく画像を出力する出力手段とを備えたことを要旨とする。
【００１２】
この発明によれば、画像取得手段により取得された原画像の画像データから画像領域特定手段により特定された領域が切り出され、この切り出された画像データに変倍率で変倍処理が施され、さらに変倍処理後の画像データに基づく画像が出力される。従って、変倍させる領域を特定するために１点の座標指定で済むので、簡単な操作で原画像のうち所望する領域の画像を出力できる。出力手段には、例えば表示手段又は印刷手段が挙げられる。
【００１３】
また、本発明では、前記中心位置指定手段は、前記変倍中心位置を指示するための指示体を前記原画像と共に画面に表示する表示手段と、前記指示体を移動させて前記変倍中心位置を指定する操作手段と前記操作手段の操作で指示された方向に前記指示体を移動させる表示制御手段とを備えたことを要旨とする。この発明によれば、変倍中心位置を指定する際に、表示手段の画面に表示された原画像上で、操作手段の操作で指示された所望の方向に、指示体（例えばカーソルやポインタ）を移動させて変倍中心位置を指定することが可能となる。従って、視覚的に所望の位置を指定しやすくなるうえ、例えば指示体の移動ピッチを比較的細かく（例えば画素単位）設定すれば、詳細な位置指定が可能となる。
【００１４】
また、本発明は、前記表示手段に表示された原画像上に前記領域を視認させうる枠画像を表示させるとともに、前記操作手段の操作による前記指示体の移動に追従して前記枠画像を移動させる領域表示手段を備えたことを要旨とする。
【００１５】
この発明によれば、原画像上に表示された枠画像が指示体の移動に追従して移動するので、所望の位置（変倍中心位置）を指定する際に、実際に指定される領域を確認することができる。
【００１６】
また、本発明では、前記中心位置指定手段は、画面上の所望する位置の座標を特定しうる符号群を前記原画像と共に表示する表示手段と、前記変倍中心位置の座標を前記符号の組合せで入力する操作手段とを備えたことを要旨とする。
【００１７】
この発明によれば、表示手段の画面上に表示された符号の組み合わせを入力することで所望する変倍中心位置の座標を指定できる。このため、指示体を操作に追従して移動させる表示制御を採用しなくとも、所望の位置（変倍中心位置）を指定可能となる。
【００１８】
また、本発明では、前記中心位置指定手段は、前記原画像の元となる原稿が載置される原稿載置面の少なくとも２辺に沿って該原稿載置面上の所望する位置の座標を特定しうる符号群が付された原稿台と、前記変倍中心位置の座標を前記符号の組合せで入力する操作手段とを備えたことを要旨とする。
【００１９】
この発明によれば、原稿台の原稿載置面の少なくとも２辺に沿って付された符号の組み合わせを入力することで所望する変倍中心位置の座標を指定できるため、例えば表示手段を備えなくとも、変倍中心位置を指定できる。
【００２０】
また、本発明は、前記変倍率を指定する変倍率指定手段を備え、前記画像領域特定手段は、前記領域を特定する際に前記変倍率指定手段により指定された変倍率を用いることを要旨とする。
【００２１】
この発明によれば、画像領域特定手段は、ユーザが指定した変倍率に応じて領域を特定する。また、指定された領域を事前に確認できる構成においては、所望の領域が特定されるようにユーザは変倍率を変更できる。
【００２２】
また、本発明は、印刷媒体サイズを指定するサイズ指定手段を備え、前記画像領域特定手段が前記領域を特定する際に用いる前記指定のサイズは前記印刷媒体サイズから定まることを要旨とする。
【００２３】
この発明によれば、画像領域特定手段は、ユーザが指定した印刷媒体サイズから定まる指定のサイズに変倍画像が収まるように領域を特定する。また、指定された領域を事前に確認できる構成においては、所望の領域が特定されるようにユーザは印刷媒体サイズを変更できる。
【００２４】
また、本発明は、前記画像領域特定手段は、前記変倍中心位置に基づいて、前記指定の変倍率と前記指定のサイズを用いて前記領域を特定しうる複数の座標を算出する演算手段を備え、前記切出手段は、前記原画像の画像データから、前記複数の座標により特定された領域を切り出してその切り出した画像データをメモリに記憶し、前記変倍手段は、前記メモリから読み出した前記領域の画像データに前記変倍率にて変倍処理を施すことを要旨とする。
【００２５】
この発明によれば、演算手段により、変倍中心位置に基づいて指定の変倍率と指定のサイズを用いて、原画像における変倍させたい領域を特定しうる複数の座標が算出される。ユーザが指定する変倍中心位置は１点の座標指定で済み、領域を特定するために必要な複数の点（座標）は演算手段が算出する。また領域の画像データは必要な部分のみ切り出されてメモリに記憶されるので、データ容量が少なく済むうえ、その後、メモリから読み出されて行われる変倍処理を含めて処理速度が速くなる。
【００２６】
また、本発明は、原画像を変倍する際の変倍中心位置を指定する中心位置指定手段と、変倍率を指定する変倍率指定手段と、サイズ情報を指定するサイズ指定手段と、前記変倍中心位置と前記変倍率と前記サイズ情報とに基づいて、前記原画像が前記変倍中心位置を中心として指定の変倍率で変倍されたときに前記サイズ情報から定まる指定のサイズに収まることになる変倍画像の当該原画像における変倍前の領域を特定しうる複数の座標を算出する演算手段と、原画像の画像データを取得する画像取得手段と、前記原画像の画像データから前記複数の座標により特定される領域を切り出す切出手段と、前記切出手段により切り出された画像データに前記変倍率で変倍処理を施す変倍手段と、前記変倍処理後の画像データに基づき変倍画像を印刷媒体に印刷する印刷手段とを備えたことを要旨とする。
【００２７】
この発明によれば、演算手段は、指定された変倍中心位置と変倍率とサイズ情報とに応じて、原画像における変倍させたい領域を特定しうる複数の座標を算出する。ユーザが指定する変倍中心位置は１点の座標指定で済み、領域を特定するために必要な複数の点（座標）は演算手段が算出する。原画像の画像データからこの複数の座標で特定された領域は切り出され、さらに変倍処理が施され、その変倍画像は印刷媒体に印刷される。
【００２８】
本発明は画像処理方法であって、原画像を変倍する際の変倍中心位置を指定する中心位置指定手順と、前記変倍中心位置に基づいて、前記原画像が前記変倍中心位置を中心として指定の変倍率で変倍されたときに指定のサイズに収まることになる変倍画像の当該原画像における変倍前の領域を特定する画像領域特定手順とを備えたことを要旨とする。この発明によれば、請求項１に記載の発明と同様の作用効果が得られる。
【００２９】
本発明はプログラムであって、コンピュータが、操作手段の操作により指定された原画像の変倍中心位置と変倍率とサイズ情報とを入力する手順と、コンピュータが、前記変倍中心位置と前記変倍率とサイズ情報とに基づいて、前記原画像が前記変倍中心位置を中心として指定の変倍率で変倍されたときに前記サイズ情報から定まる指定のサイズに収まることになる変倍画像の当該原画像における変倍前の領域を特定しうる複数の座標を算出する手順と、コンピュータが、原画像の画像データをメモリから読み出して前記複数の座標により特定される領域を切り出して該領域の画像データをメモリに記憶する手順と、コンピュータが、前記メモリから読み出した前記領域の画像データに前記変倍率で変倍処理を施す手順とを備えたことを要旨とする。この発明によれば、請求項１０に記載の発明と同様の作用効果が得られる。
【００３０】
【発明の実施の形態】
以下、本発明を具体化した第一の実施形態を、図１〜図６に基づいて説明する。
【００３１】
図１に示す画像処理装置としての複合機１は、スキャナ（Ｓｃａｎｎｅｒ  ）とプリンタ（Ｐｒｉｎｔｅｒ  ）とコピー（Ｃｏｐｙ）の３つ機能（ＳＰＣ機能）を備えている。本体１ａの上部にはスキャナ部２が設けられ、コピー機能では、スキャナ部２で読取られた画像データが内部で印刷データに変換され、その印刷データに基づく画像が印刷された用紙３が、本体１ａの前側下部に設けられた排紙口１ｂから排出される。本体１ａの前部に設けられたコントロールパネル４上にはスキャナボタン５およびコピーボタン６が設けられており、コピーをするときにはコピーボタン６を操作する。また複合機１は図示しないホストコンピュータ（ＰＣ）と接続することが可能で、ホストコンピュータからの印刷データに従って印刷するプリンタとして機能するとともに、スキャナ部２で読取られた画像データをホストコンピュータに転送するスキャナとしても機能する。スキャナとして使用するときはスキャナボタン５を操作する。本体１ａの上部にはカバー（原稿カバー）１ｃが開閉可能に取り付けられており、カバー１ｃを開いた本体１ａの上面部分は原稿台２ａとなっている。原稿台２ａには、コピーする原稿を載置する原稿載置面（ガラス面）２ｂが設けられている。
【００３２】
図２はコントロールパネル４の主要部を示す平面図である。
コントロールパネル４は、表示装置７と、複数の操作ボタン（操作キー）からなる操作部８とを備えている。表示装置７は画面７ａを備え、各種の設定を行える設定画面（同図ではコピーメニューＭ１）と、スキャナ部２で読取った画像を表示するプレビュー画面Ｍ２とを画面７ａに切り替えて表示可能である。設定画面では、例えば、用紙サイズ（Ａ４等）、用紙の向き、拡大率、印刷枚数等をマニュアル操作で設定できる。プレビュー画面Ｍ２では、拡大時の中心位置を、画像を見ながら指定可能である。また、操作部８には上述したスキャナボタン５、コピーボタン６以外に、方向ボタン（十字キー）９、決定ボタン１０、中止ボタン１１、キャンセルボタン１２が設けられている。中止ボタン１１は印刷実行中の場合において直ちに印刷を中止するときや、非印刷状態の場合において画面７ａに表示される設定画面での入力内容（選択項目、数値等）を破棄するときに押される。
【００３３】
方向ボタン９は上下左右の４つのボタンで構成されており、方向ボタン９を押下する位置によって上下左右のいずれかのボタンが操作されることになる。方向ボタン９は設定画面におけるメニュー選択や印刷設定条件の項目選択のためのカーソル移動や、入力中の数値の増減を行うときに操作される。
【００３４】
図２（ａ）の画面７ａ上には、コピー機能の設定を行う設定画面が表示されている。ここには設定可能なメニュー項目の一部が表示されており、方向ボタン９の上又は下側部を操作することにより設定したい項目を選択可能である。方向ボタン９の下側部を押下し続ければ、メニュー項目が行単位でスクロールアップし、表示されていなかったメニュー項目が選択可能になる。また、方向ボタン９はプレビュー画面において、拡大の中心を指定するためのカーソル移動に用いられる。
【００３５】
図２（ｂ）の表示装置７上には、スキャナ部２で読取られた画像（原画像）Ｐと、拡大の中心を示すカーソルＣと、印刷領域を示す枠Ｋとが表示されている。方向ボタン９の上下左右のいずれかの部位を押下することで、カーソルおよび枠を移動させることができる。決定ボタン１０は設定画面の表示を次画面に進めたり、メニューの下位項目を表示させてその下位の選択項目を選択できるようにカーソルを合わせたり、さらに設定画面で入力した設定内容を確定するときに押される。キャンセルボタン１２は設定画面を初期画面に戻すときや、設定画面の表示を一つ前の画面に戻すときに押される。
【００３６】
図３は、複合機の電気的構成を示すブロック図である。
複合機１は、本体１ａのケース内に全体的な制御を司るメイン基板を備える。このメイン基板には、１つのＣＰＵ２１と、ＣＰＵ２１とバス２２を介して接続された、ＲＯＭ２３、ＲＡＭ２４、およびデータ処理用半導体装置としてのＡＳＩＣ（Ａｐｐｌｉｃａｔｉｏｎ  Ｓｐｅｃｉｆｉｃ  ＩＣ（特定用途向けＩＣ））２５が実装されている。また、ＲＯＭ２３にはＣＰＵ２１により実行される制御プログラムなどが記憶されており、ＲＡＭ２４にはＣＰＵ２１が制御プログラムを実行して処理する画像データや印刷データなどのデータが一時記憶される。
【００３７】
ＡＳＩＣ２５は、スキャナ入力画像処理部２６、画像処理部２７および印刷処理部２８の３つの処理回路を内蔵している。各処理回路２６〜２８は、ゲートアレイ回路により形成されたものであり、ＡＳＩＣ２５の内部バス２９を介して相互接続されている。各処理回路２６〜２８にはＣＰＵ２１からの指示がバス２２、２９を介して伝えられる。またＡＳＩＣ２５はメモリ（ＳＤＲＡＭ等）３０と接続されており、各処理部２６，２７による処理の前後の画像データがメモリ３０に一時記憶（格納）される。
【００３８】
ＣＰＵ２１は、スキャナボタン５の操作信号を受け付けるとスキャナモードと判断してＡＳＩＣ２５にスキャナ処理を指示し、コピーボタン６の操作信号を受け付けるとコピーモードと判断してＡＳＩＣ２５にコピー処理を指示する。またＣＰＵ２１は、ホストコンピュータから印刷データを受信した通知を受け取るとＡＳＩＣ２５に印刷処理を指示する。
【００３９】
スキャナ入力画像処理部２６には、ＣＣＤ３１とスキャナモータ３２が電気的に接続されている。スキャナ入力画像処理部２６は、スキャナモード時とコピーモード時に、スキャナモータ３２を駆動させるとともに、ＣＣＤ３１により読取られたＲＧＢ画像信号からＲＧＢ画像データを生成する。
【００４０】
画像処理部２７はコピーモード時に、ＲＧＢ画像データに所定の画像処理を施した後、ラスタライズ処理、色変換処理（ＲＧＢ系→ＣＭＹＫ系）および２値化処理などを行って最終的にコマンド付きの印刷データを生成する。本実施形態では、画像処理の一部については、ＣＰＵ２１がソフトウェア処理により行う。
【００４１】
印刷処理部２８には、紙送りモータ３３、記録ヘッド３４及びキャリッジモータ３５が電気的に接続されている。印刷処理部２８は、コピーモード時とプリンタモード時に、印刷データに基づき印刷処理を行って、記録ヘッド３４及び各モータ３３，３５を駆動制御する。すなわち、記録ヘッド３４のインクジェット吐出制御、紙送りモータ３３の紙送り制御、キャリッジモータ３５の移動制御などを行う。印刷処理部２８に内蔵されたヘッド制御部２８ａは、画像処理部２７から転送された印刷データに基づき記録ヘッド３４を駆動制御する。紙送りモータ３３とキャリッジモータ３５は紙送り動作とキャリッジ移動動作が交互に行われるよう制御される。キャリッジモータ３５が駆動されてキャリッジ（図示省略）が主走査方向に移動する過程で記録ヘッド３４からインクが吐出されることにより、用紙に１ラインずつ画像が印刷される。なお、紙送りモータ３３とキャリッジモータ３５は、ＣＰＵ２１が駆動制御する構成でもよい。
【００４２】
また、ＣＰＵ２１は表示制御部３６と電気的に接続されている。表示制御部３６が有するスクリーンメモリ３６ａにＣＰＵ２１が画像データを書き込むことにより、表示制御部３６はそのスクリーンメモリ３６ａから読み出した画像データに基づく画像を表示装置（ＬＣＤ）７の画面７ａに表示させる。画面７ａに表示される画像としては、各種設定画面のメニュー画像と、スキャナ部２により読み取られたスキャナ画像などが挙げられる。
【００４３】
ＲＯＭ２３には、メニュー画像を表示させるための各種メニュー画像データが記憶されている。ＣＰＵ２１は、メニューの切替え操作、メニュー中の所定項目選択操作、入力項目の数値を増減させる操作が操作部８でなされてその操作信号を入力すると、その操作信号の指示に応じてメニュー画像や項目、数値等の表示を切り替える。
【００４４】
画像処理部２７は、フィルタ処理部４０を備えている。フィルタ処理部４０は、ＣＰＵ２１からの指示に従って画像データに対し、拡大／縮小、スムージング、文字強調等の所定処理を実行する。フィルタ処理部４０は、切り出し処理部４１と拡大処理部４２を備えている。切り出し処理部４１は、スキャナ入力画像処理部２６から転送されてきたＲＧＢ画像データから、印刷に必要な領域のデータを切り出す処理を行う。印刷に必要な領域は、コピーメニューＭ１で指定された拡大中心位置と拡大率との情報を基に決められる。
【００４５】
拡大処理部４２は、切り出し処理部４１で切り出されたＲＧＢ画像データに、その領域を指定された拡大率で拡大する拡大処理を施す。フィルタ処理のうち一部の画像処理については、ＣＰＵ２１によるソフトウェア処理で行われ、その画像処理を終えた画像データは再び画像処理部２７へ戻される。その後、画像処理部２７は、ＲＧＢ画像画像データをインク吐出時のドット形成順序に並び替えるラスタライズ処理、ＲＧＢ系→ＣＭＹＫ系への色変換処理および２値化処理を順次施す。さらに画像処理部２７は、２値化処理後の画像データ（ＣＭＹＫ画像データ）を基にコマンド付きの印刷データを生成し、この印刷データは印刷処理部２８に転送される。
【００４６】
次に、コピーする際の画面表示について説明する。
図２（ａ）におけるコピーメニューＭ１は、原稿を拡大コピーする際の各種コピー条件を設定するためのものである。コピーメニューＭ１には、入力できる項目として、「拡大中心指定」、「拡大率」、「用紙サイズ」などが用意されている。このコピーメニューＭ１において「拡大中心指定」が選択されたとき、ＣＰＵ２１はそのサブメニューを表示して「指定する」「指定しない」の選択をユーザに促す。「指定する」を選択して決定ボタン１０が押下されると、ＣＰＵ２１は「拡大中心指定」（フラグ）をセットする。
【００４７】
また、コピーメニューＭ１で「拡大率」が選択された状態で方向ボタン９が操作された際、ＣＰＵ２１は方向ボタン９の上側部が操作されたときは「拡大率」の数値を増大させ、下側部が操作されたときは「拡大率」の数値を減少させる。「拡大率」は例えば「５０％〜４００％」の範囲内で設定できるようになっている。「拡大率」の選択状態で決定ボタン１０が押下されると、ＣＰＵ２１はそのとき表示されている数値を「拡大率」として設定する。
【００４８】
また、コピーメニューＭ１で「紙サイズ」が選択された状態で方向ボタン９が操作されたとき、ＣＰＵ２１は「紙サイズ」の表示（Ａ４，Ｂ５，Ａ５等）を順次切替える。「紙サイズ」の選択状態で決定ボタン１０が押下されると、ＣＰＵ２１はそのとき表示されている紙サイズ（Ａ４，Ｂ５，Ａ５等）を「紙サイズ」に設定する。これらの設定データはＲＡＭ２４の所定記憶領域に一時記憶される。本実施形態では、この「紙サイズ」が原画像の中で拡大させたい領域を特定する複数の点についての座標を求める演算に用いられるサイズ情報となる。
【００４９】
「拡大中心指定」で「指定する」にセットされた状態で、コピーボタン６が操作されると、ＣＰＵ２１はＡＳＩＣ２５に指令を出し、スキャナ部２にプレスキャンを行わせる。ここで、「プレスキャン」とは、実際のコピーのためのスキャニングではなく、コピーしようとする原稿の画像をプレビュー表示させるための仮のスキャニングを指す。プレスキャンでは、スキャニング速度を優先し画像を一部間引いた低解像度の条件でスキャニングが行われる。ＣＰＵ２１は、スキャナ入力画像処理部から受け取ったＲＧＢ画像データにカーソル（指示体）Ｃと枠Ｋを所定位置に表示させる画像処理を施した後、その画像データを表示制御部３６のスクリーンメモリ３６ａに書き込むことで、プレビュー画面Ｍ２を表示させる。
【００５０】
図２（ｂ）に示すように、プレビュー画面Ｍ２ではその表示エリアＴ内にプレスキャンされた画像Ｐが表示される。カーソルＣは、はじめは画像Ｐ（つまり表示エリアＴ）の中心に表示される（図５も参照）。ＣＰＵ２１は、方向ボタン９からの操作信号に従って上下左右いずれかの方向にカーソルＣを移動させる表示処理を行う。ＣＰＵ２１は決定ボタン１０の押下信号を入力すると、そのときのカーソルＣの位置座標を拡大中心位置座標としてＲＡＭ２４の所定記憶領域に記憶する。
【００５１】
本実施形態では、原画像の中で拡大したい領域を指定する方法に特徴がある。画像Ｐ上で拡大コピーしたい領域の中心点を指定すると、指定の拡大率で拡大したときに用紙サイズと余白情報から定まる印刷エリアに収まりうる領域Ｒが特定される。この領域Ｒが決まれば、スキャナ２で読み取った画像データからその領域を切り取って拡大処理を施して印刷すれば、所望する領域Ｒの拡大コピーが得られる。この一連の処理は、図４にフローチャートで示されるプログラムが実行されることで実現される。
【００５２】
以下、図４に従って、コピー条件の指定から拡大したい領域の指定を経て印刷に至るまでの処理内容について説明する。
まずユーザは、スキャナ２の原稿載置面（ガラス）に原稿Ｇを載置してカバーを閉じ、予め原稿Ｇをセットしておく。次に、表示装置７にコピーメニューＭ１を表示させ、所望の「拡大率」、「用紙サイズ」および「用紙の向き」を指定する。さらにコピーメニューＭ１の「拡大中心指定」を選び、次のサブメニューで「指定する」を選択した後、コピーボタン６を押下する。すると、図４のフローチャートで示される処理が開始される。なお、本実施形態では、ＣＰＵ２１とＡＳＩＣ２５が分担してこのプログラムで示される一連の処理を行う。すなわち、プログラムは、主にＡＳＩＣ２５によって処理される処理手順（ステップ（以下「Ｓ」と記す）１０，Ｓ９０〜Ｓ１２０）と、主にＣＰＵ２１によって処理される処理手順（Ｓ２０〜Ｓ８０）とからなる。ＣＰＵ２１が実行する処理のプログラムはＲＯＭ２３に記憶されている。もちろん、これらすべての処理をＣＰＵ２１が単独で実行する構成を採ることもできる。
【００５３】
Ｓ１０では、原稿のプレスキャンを行い、読取った画像をＲＡＭ２４に記憶する。プレスキャンは、プレビュー画面Ｍ２の表示エリアＴに画像を表示するために行う原稿の読取りで、印刷データを取得する本スキャンよりもデータを間引いている分だけそのスキャニング処理は早く完了する。ＣＰＵ２１はコピーボタン６の押下信号を入力すると、ＡＳＩＣ２５にプレスキャン処理の実行を指令する。この指令を受けたＡＳＩＣ２５は、ＣＣＤ３１およびスキャナモータ３２を駆動させてスキャナ２を作動させ、原稿載置面２ｂ（図１参照）に載置された原稿からＣＣＤ３１により画像を読み取る。原稿をスキャニングしたＣＣＤ３１からの読取信号は、ＡＳＩＣ２５内のスキャナ入力画像処理部２６で画像データ化され、その画像データがＣＰＵ２１に転送され、ＣＰＵ２１はその画像データをＲＡＭ２４に一時記憶する。
【００５４】
Ｓ２０では、プレビュー画像Ｐを表示する。ＣＰＵ２１はＲＡＭ２４から画像データを読み出し、プレビュー画像Ｐ上に、拡大中心位置を示す丸型のカーソルＣと、印刷領域を示す矩形の枠Ｋとを貼り付ける画像処理を施す。そして、この画像データが表示エリアに組み込まれたプレビュー画面Ｍ２用の画像データを生成し、これを表示制御部３６のスクリーンメモリ３６ａに書き込んで、表示装置（ＬＣＤ）７にプレビュー画面Ｍ２を表示する。はじめてプレビュー画像Ｐが表示されたときは、カーソルＣは画像Ｐの中心点に位置する。なお、「拡大中心指定」を「指定しない」としたときは、画像Ｐの左上頂点が拡大中心位置となる（但し、画像は表示されない）。枠Ｋ（領域Ｒ）を特定する座標の計算方法については後述する。
【００５５】
Ｓ３０では、決定ボタン１０が操作されたかどうかを判断する。決定ボタンが操作されればＳ６０へ進み、操作されなければＳ４０に進む。
Ｓ４０では、方向ボタン９が操作されたかどうかを判断する。方向ボタン９が操作されればＳ５０に進み、操作されなければＳ３０に戻る。
【００５６】
Ｓ５０では、方向ボタン９の操作で指定された方向にカーソルと枠Ｋを、所定の量（例えばプレビュー画像の１ドット又は数ドット分ずつ）だけ移動させる。方向ボタン９は上下左右に押すことができるので、それが操作されたときは上下左右いずれかの方向にカーソルＣと枠Ｋを移動させる。その後、Ｓ３０に戻り、再び決定ボタン１０の監視を行い、決定ボタン１０が操作されなければ、Ｓ４０，Ｓ５０を繰り返し、決定ボタン１０が操作されればＳ６０に移行する。
【００５７】
Ｓ６０では、カーソルの位置すなわち拡大中心位置が確定し、座標データとして記憶される。ＣＰＵ２１は、方向ボタン９の操作信号からカーソルＣの表示位置を管理しており、決定ボタン１０が操作された時の表示位置の座標を拡大中心位置座標としてメモリに一時格納する。
【００５８】
Ｓ７０では、既に指定されている用紙サイズと拡大率を、ＲＡＭ２４から読み出す。
Ｓ８０では、元画像（原画像）から印刷領域として切り出す領域Ｒを特定するための座標を算出する。本実施形態では、切り出す領域Ｒは、指定されている用紙サイズから定まる用紙形状と同じアスペクト比（縦横比）の矩形を採用している。よって、矩形の領域Ｒを特定するためには、最低でも対角２点の座標を特定する必要がある。ＣＰＵ２１は、拡大中心位置と用紙サイズと拡大率に基づいて、領域Ｒの対角２点（例えば左上頂点および右下頂点）の座標を算出し、メモリまたはレジスタに記憶する。
【００５９】
Ｓ９０では、ＣＰＵ２１はＡＳＩＣ２５に本スキャン処理の実行を指令する。この指令を受けたＡＳＩＣ２５は、ＣＣＤ３１およびスキャナモータ３２を駆動させてスキャナ２を作動させ、原稿載置面２ｂ（図１参照）に載置された原稿からＣＣＤ３１により画像を読み取る。原稿をスキャニングしたＣＣＤ３１からの読取信号は、ＡＳＩＣ２５内のスキャナ入力画像処理部２６で画像データ化され、その画像データが画像処理部２７に転送される。本スキャンは、印刷に使用する画像データを取得するためのものであるので、間引きしない高解像度の条件でスキャニングされる。なお、本スキャンの処理は、決定ボタン１０の押下信号を入力した時点に直ぐ開始してもよく、その場合は、Ｓ６０〜８０の処理は本スキャン実行中にＣＰＵ２１が実行することになる。
【００６０】
Ｓ１００では、画像の切り出し処理を行う。この切り出し処理は、画像処理部２７内の切り出し処理部４１が行う。Ｓ８０でメモリまたはレジスタに記憶された切り出し領域Ｒを特定する対角２点の座標を読み出し、この座標に従って、Ｓ９０で取得した原画像の画像データから印刷領域に相当する部分の画像データのみ切り出し、切り出した画像データをメモリ３０に一時記憶する。
【００６１】
Ｓ１１０では、切り出された画像データに拡大処理を施す。拡大処理部４２はメモリ３０から切出し処理後の画像データを読み出して拡大率に基づく拡大処理を施す。
【００６２】
Ｓ１２０では、印刷処理を行う。なお、ここでいう印刷処理は、画像処理部２７で行われるラスタライズ処理、色変換処理および２値化処理を含む。これらの画像処理後の２値画像データはコマンド付きの印刷データに仕立てられ、画像処理部２７から印刷処理部２８に転送される。ヘッド制御部２９Ａ及びモータ制御部を介して拡大処理され、拡大画像が印刷される。
【００６３】
図５は、領域を特定するための演算フローを示した説明図である。
同図（ａ）はプレビュー画像（表示画像）Ｐ、同図（ｂ）は原稿の読取り実画像（計算上）、同図（ｃ）は実際の読取り画像、同図（ｄ）は拡大画像をそれぞれ示す。領域Ｒを特性する座標が必要となる場面は、プレビュー画像を表示する際に枠Ｋの表示領域を計算するときと、本スキャンでの読取り画像から領域Ｒを切り出す切出し処理を行うときである。前者は表示系の座標を算出するのに対し、後者は実画像系の座標を算出するが、単に変換が逆になるだけである。
【００６４】
まず表示系の領域Ｒ（枠Ｋ）の表示領域を特定する座標の計算方法について説明する。同図（ａ）の表示画像と同図（ｂ）の実画像の各図を用いて説明する。枠Ｋのサイズは、ＣＰＵ２１が「拡大率」と「用紙サイズ」のデータに基づき計算により求めている。本実施形態では、縁なし印刷機能を備えているため、印刷条件情報には「縁あり」「縁なし」を指定する余白情報も含む。「用紙サイズ」および「余白情報」の各情報から用紙上における印刷エリアとして指定される印刷エリアサイズ（以下、指定サイズという）を求める。指定サイズは、「縁あり」のときは用紙サイズからその周縁の余白部分を除いたサイズに指定され、「縁なし」のときは用紙サイズがそのまま指定される。よって、指定サイズＢは、用紙サイズを「Ｈ」、縁ありの余白を除いた印刷エリアサイズＢと用紙サイズＨとの比率（以下余白係数と称す）を「α」（＝Ｂ／Ｈ）とおくと、式  Ｂ＝α・Ｈ  で表される。ここで「α」の値は、縁なしのときは「１」、縁ありのときは例えば０．５＜α＜１となる（但しαは定数）。また、余白情報「α」は横方向と縦方向とで余白の幅が異なる場合もあるが、ここでは説明の便宜上等しいものとする。領域Ｒは、これを拡大率で拡大すると印刷エリアサイズ（指定サイズ）に等しくなる関係があるので、領域Ｒの領域サイズＢｏは、拡大率「Ｆ（％）」と指定サイズＢとを用いて、Ｂｏ＝１００・Ｂ／Ｆ  の関係式で与えられる。よって、領域サイズＢｏは、次式で与えられる。
Ｂｏ＝１００・α・Ｈ／Ｆ  …（１）
上記（１）式で求まる領域サイズＢｏは実画像表示系のものなので、表示系の表示画像サイズ（プレビュー画像サイズ）ｍと実画像系の実画像サイズＭとの比β（＝ｍ／Ｍ）を用いて、表示系の領域サイズである枠ＫのサイズＢｋは、Ｂｋ＝β・Ｂｏ  で与えられる。よって、この関係式と上記（１）式の関係とから、枠ＫのサイズＢｋは、次式で表される。
Ｂｋ＝１００・β・α・Ｈ／Ｆ  …（２）
ＣＰＵ２１は、上記（２）式を用いて、用紙サイズ「Ｈ」、余白係数「α」および拡大率「Ｆ（％）」の各値（パラメータ）から枠ＫのサイズＢｋを求める。また、用紙の向きによって、枠Ｋの配置される向きが決まる。ところで、上記（２）式は、枠ＫのサイズＢｋを、原稿Ｇ、領域Ｒ、用紙、印刷エリアの各アスペクト比（縦横比）を等しいとしたときのサイズ比で特定している。しかし、枠Ｋを表示するためには、矩形の領域Ｒの対角で向かい合う２点の座標を特定する必要がある。
【００６５】
表示画像（プレビュー画像）Ｐ（つまり表示エリアＴ）の横方向と縦方向の一辺の長さをそれぞれＰｘ，Ｐｙ、実画像Ｐｒの横方向と縦方向の一辺の長さをそれぞれＬｘ、Ｌｙとすると、上記（２）式の関係式を用いて、領域Ｒの横方向と縦方向の各々の一辺の長さｌｘ，ｌｙは、次式で表される。
ｌｘ＝１００・Ｐｘ・αｘ／Ｆ・Ｈｘ／Ｌｘ  …（３）
ｌｙ＝１００・Ｐｙ・αｙ／Ｆ・Ｈｙ／Ｌｙ  …（４）
ここで、Ｈｘ、Ｈｙは用紙サイズの横方向と縦方向のそれぞれ一辺の長さ、αｘ，αｙは横方向と縦方向のそれぞれ余白係数、Ｆは拡大率（％）を示す。
【００６６】
カーソルＣの位置の横座標と縦座標をそれぞれＸ，Ｙ（つまり座標（Ｘ，Ｙ））とし、表示画像（プレビュー画像）Ｐと読取り実画像Ｐｒとの座標の原点が共に左上の角の頂点にあるとすると、領域Ｒ（つまり枠Ｋ）の対角に向き合う２点の座標（Ｘ１，Ｙ１），（Ｘ２，Ｙ２）は、次式により求まる。
Ｘ１＝Ｘ−ｌｘ／２、Ｙ１＝Ｙ−ｌｙ／２  …（５）
Ｘ２＝Ｘ＋ｌｘ／２、Ｙ２＝Ｙ＋ｌｙ／２  …（６）
ここで、上式（５），（６）で求まる２点の座標値は、領域Ｒの左上と右下の２点のものである。また、上記（５），（６）式は用紙が縦向きのときのものであり、用紙が横向きのときは以下の計算式を用いる。
Ｘ１＝Ｘ−ｌｙ／２、Ｙ１＝Ｙ−ｌｘ／２  …（７）
Ｘ２＝Ｘ＋ｌｙ／２、Ｙ２＝Ｙ＋ｌｘ／２  …（８）
ＣＰＵ２１は、枠Ｋの中心にくるカーソルＣの位置（Ｘ，Ｙ）が決まると、指定された拡大率、用紙サイズ、余白係数、用紙の向き及び検出された原稿サイズによって、枠Ｋ（領域Ｒ）を特定する２点の座標を、上記（５），（６）式又は（７），（８）式を用いて算出する。これら２点の座標（Ｘ１，Ｙ１），（Ｘ２，Ｙ２）から決まる位置・サイズで画像Ｐに貼り付けられるように枠Ｋのテンプレート画像を画像データに組み込む。なお、実画像Ｐｒの横方向と縦方向の一辺の長さＬｘ、Ｌｙは、プレスキャン時に原稿サイズ検出センサ（図示せず）により検出された原稿サイズ（原稿の縦と横の長さ）を使用し、予めＲＡＭ２４に記憶されたものを読み出して用いる。
【００６７】
次に、ユーザがカーソルＣで拡大中心位置（Ｘ、Ｙ）を指定して決定ボタン１０を押下した後、本スキャンを経て拡大画像ＭＰを取得するまでの演算フローについて図５に従って説明する。
【００６８】
同図（ａ）では、プレビュー画像Ｐ上に拡大中心指定を行うカーソルＣと、拡大される領域Ｒを示す枠Ｋが表示され、ユーザはカーソルＣを拡大画像ＭＰの中心にしたいポイントまで移動させて決定ボタン１０を押下する。ＣＰＵ２１は決定ボタン１０の押下信号を入力すると、その時のカーソルＣの横座標Ｘと縦座標Ｙをメモリまたはレジスタに保存する。ここで取得される座標（Ｘ，Ｙ）は、表示系のものとなる。なお、座標の原点はプレビュー画像Ｐの左上頂点に設定されている。
【００６９】
同図（ｂ）では、実画像Ｐｒにおける領域Ｒを特定する座標を計算する。ＣＰＵ２１は、メモリまたはレジスタに保存した拡大中心点の座標（Ｘ，Ｙ）と、事前にＲＡＭ２４に記憶された拡大率、用紙サイズ、余白係数、用紙の向きの各データをそれぞれ読み出す。そして、実際に取り込む実画像Ｐｒにおける中心画素の座標（ｘ，ｙ）を算出する。表示画像と実画像のサイズ比（表示画像と実画像の解像度比を考慮したサイズ比）γを計算し、この比γを用いて、（ｘ，ｙ）＝（γｘ，γｙ）を算出する。例えば表示画像Ｐの解像度がＪｄ（ｄｐｉ）、実画像Ｐｒの解像度がＪｒ（ｄｐｉ）、表示エリアＴのサイズｍ、原稿サイズＭとし、表示画像Ｐの座標が画素単位で特定されるものとすると、前記比γは、γ＝Ｊｒ・Ｍ／（Ｊｄ・ｍ）で与えられる。なお、比γを求めるために必要な実画像サイズは、プレスキャン時に原稿サイズ検出センサにより検出された原稿サイズをＲＡＭ２４から読み出して使用する。さらに拡大率データＦ（％）と中心画素の座標データ（ｘ，ｙ）から左上と右下あるいは右上と左下どちらかの対角で向き合う２点の座標（ｘ１，ｙ１）（ｘ２，ｙ２）を算出する。実画像Ｐｒにおける領域Ｒの横方向と縦方向の一辺の長さをそれぞれ「Ｒｘ」「Ｒｙ」とおくと、これらは次式で与えられる。
Ｒｘ＝１００・Ｈｘ・Ｌｘ・αｘ／Ｆ  …（９）
Ｒｙ＝１００・Ｈｙ・Ｌｘ・αｘ／Ｆ  …（１０）
ここで、Ｈｘ、Ｈｙは用紙サイズの横方向と縦方向のそれぞれ一辺の長さ、Ｌｘ、Ｌｙは実画像Ｐｒ（原稿Ｇ）の横方向と縦方向のそれぞれ一辺の長さ、αｘ，αｙは横方向と縦方向のそれぞれ余白係数、Ｆは拡大率（％）をそれぞれ示す。
【００７０】
実画像Ｐｒにおける領域Ｒの対角に向き合う２点の座標（ｘ１，ｙ１）（ｘ２，ｙ２）は、次式により求まる。
ｘ１＝ｘ−Ｒｘ／２、ｙ１＝ｙ−Ｒｙ／２  …（１１）
ｘ２＝ｘ＋Ｒｘ／２、ｙ２＝ｙ＋Ｒｙ／２  …（１２）
ここで、上式（１１），（１２）で求まる２点の座標値は、領域Ｒの左上と右下の２点のものである。また、上記（１１），（１２）式は用紙が縦向きのときのものであり、用紙が横向きのときは以下の計算式を用いる。
ｘ１＝ｘ−Ｒｙ／２、ｙ１＝ｙ−Ｒｘ／２  …（１３）
ｘ２＝ｘ＋Ｒｙ／２、ｙ２＝ｙ＋Ｒｘ／２  …（１４）
ＣＰＵ２１は、中心画素の座標（ｘ，ｙ）が決まると、指定された拡大率、用紙サイズ、余白係数、用紙の向き及び検出された原稿サイズによって、領域Ｒを特定する２点の座標を、上記（１１），（  １２）式又は（１３），（１４）式を用いて算出する。ＣＰＵ２１は算出した２点の座標（ｘ１，ｙ１）（ｘ２，ｙ２）をＲＡＭ２４に記憶する。
【００７１】
同図（ｃ）では、本スキャンで読み取られた画像データから領域Ｒを切り出す処理を行う。この切出し処理は、ＡＳＩＣ２５内の切り出し処理部４１が行う。切り出し処理部４１は、本スキャンで読み取られた画像データを入力すると、ＲＡＭ２４から取得した２点の座標（ｘ１，ｙ１）（ｘ２，ｙ２）で特定される領域Ｒ以外の画像データはメモリ３０に保存せず、領域Ｒに属する画像データのみメモリ３０に保存する。これにより領域Ｒ以外の不要な画像データは破棄され、必要な領域Ｒの画像データだけが切り出される。
【００７２】
同図（ｄ）では、切り出し処理部４１が領域Ｒの画像データに拡大処理を施す。切り出し処理部４１は、メモリ３０から領域Ｒの画像データを取り込むと、この領域Ｒの画像データと、既にＲＡＭ２４からレジスタに格納された拡大率データとを用いて拡大画像ＭＰを生成する拡大処理を行う。生成された拡大画像データはメモリ３０に記憶される。その後、拡大画像データは、所定の画像処理（スムージング等）、ラスタライズ処理、色変換処理、２値化処理などが施され、さらにコマンド付きの印刷データに仕立てられた後、印刷処理部２８に転送される。そして、印刷処理部２８は拡大画像データに基づき記録ヘッド３４を駆動制御し、用紙に拡大画像が印刷（コピー）される。
【００７３】
図４および図５で説明したフローに従えば、プレビュー画面を見ながら、上下左右の任意の方向に、連続して細かなカーソル移動が可能となるため、所望の位置を拡大中心位置として指定することができるようになる。さらに、この拡大中心位置と、指定した拡大率、用紙サイズ、余白情報（レイアウト情報）および用紙の向きから、拡大印刷する領域Ｒを確定することができる。そして、プレビュー画像Ｐ上に領域Ｒを示す枠Ｋを表示するので、印刷前に印刷領域を確認することが可能となる。
【００７４】
図６は、本実施形態の複合機でコピーする際の手順を示す説明図である。まず複合機１のカバーを開き、原稿載置面（ガラス面）２ｂ上に原稿（元画像）Ｇをセットする。次に、コピーメニューＭ１で拡大率、用紙サイズ、余白情報（レイアウト情報）、用紙の向きなど必要なコピー条件（印刷パラメータ）を設定し、「拡大中心指定」の項目で「指定する」を選択した後、決定ボタン１０を押下する。すると、プレスキャンが行われ、スキャナ部２で読み取られた画像（原画像）Ｐがプレビュー画面Ｍ２に表示される。このプレビュー画像Ｐ上でカーソルＣを方向ボタン９の操作で所望の位置まで移動させる。このとき、カーソルＣに追従して移動する枠Ｋで示される領域Ｒを見てそれでよければ、決定ボタン１０を押下する。すると、次に本スキャンが行われ、領域Ｒが指定の拡大率で拡大された印刷画像Ｐｓが得られる。なお、拡大率を１００％未満とした「縮小」の場合でも、用紙の印刷エリア内に縮小するために、原画像から縮小印刷される領域Ｒを切り出す必要があるときは、領域Ｒを指定して切り出し処理が行われる。
【００７５】
以上詳述したように本実施形態によれば、以下の効果を得ることができる。
（１）拡大中心位置の１点のみ指定すれば、後はコピー条件（印刷パラメータ）として指定した拡大率、用紙サイズ、余白情報、用紙の向きの各データを用いて、ＣＰＵ２１が領域Ｒを特定するために必要な２点の座標を算出する。よって、特許文献１に記載の従来技術のように、ユーザが領域を特定するために必要な複数の点を指定する必要がない。このように、拡大中心位置を１点指定するだけで、拡大したい領域Ｒを指定できるので、拡大したい領域を指定する入力操作に手間がかからない。
【００７６】
（２）カーソルＣを拡大中心点としたい位置まで移動させて決定ボタン１０を押下するだけなので、点を特定するために必要な横座標と縦座標の２データを入力する必要がない。また、プレビュー画像Ｐを見ながら、拡大中心を示すカーソルＣを移動可能なため、視覚的に所望の位置を指定しやすくなる。
【００７７】
（３）プレビュー画像Ｐ上に、拡大印刷される領域Ｒを示す枠Ｋが表示されるので、カーソルＣの１点指定で特定される領域Ｒを確認することができる。したがって、拡大中心位置や拡大率が適切かどうか判断しやすくなるため、拡大コピーをする際に、印刷もれ等のミスを減らすことができる。
【００７８】
（４）画像Ｐ上の任意の点を指定できるので、例えば画像Ｐの四隅いずれかの頂点を拡大中心位置に指定すれば、画像Ｐの頂点を拡大中心とする拡大画像を印刷することもできる。この場合、用紙３には例えば画像Ｐの頂点が用紙中心に位置し余白の多い印刷画像が得られる。
【００７９】
（５）画像Ｐ上の任意の１点を指定することで拡大印刷する領域Ｒを指定できるので、原稿Ｇを原稿載置面２ｂに正規の位置にセットしたまま拡大コピーをすることができる。このため、原稿Ｇの移動、原稿Ｇの折り曲げ、カバー１ｃを外す等の作業を行わなくても、原稿Ｇ上の所望の部分を拡大コピーすることができる。
【００８０】
（第二の実施形態）
以下に、本発明を具体化した第二の実施形態を、図７に基づいて説明する。本実施形態の複合機は、拡大中心位置を指定する方法が第一の実施形態と異なる。これ以外の構成は、第一の実施形態と共通しているため、ここではその説明を省略する。
【００８１】
原稿Ｇをプレスキャンした後、画面７ａには同図に示すプレビュー画面Ｍ３が表示される。プレビュー画面Ｍ３には、原稿Ｇの実画像Ｐｒのプレビュー画像Ｐと、プレビュー画像Ｐ上において縦方向と横方向にそれぞれ等間隔に引かれた複数本の目盛線５１ａ，５１ｂと、画像Ｐの外側において各目盛線５１ａ，５１ｂの一端に付された座標番号からなる符号列５２ａ，５２ｂとが表示される。符号列５２ａ，５２ｂは、縦方向に引かれた目盛線５１ａの横座標と、横方向に引かれた目盛線５１ｂの縦座標を示す番号列からなり、本例では、画像Ｐの左上頂点を原点とする「１〜ｎ」までの整数で表示される。なお、同図では、画像Ｐの四辺上の点を指定する符号が付されていないが、画像Ｐの四辺上の点も指定できるようになっている。
【００８２】
また、プレビュー画面Ｍ３には横座標と縦座標をそれぞれ入力するための入力欄５３ａ，５３ｂが表示される。ユーザは、縦方向に引かれた目盛線５１ａと横方向に引かれた目盛線５１ｂとの交点の座標（横座標と縦座標）を入力欄５３ａ，５３ｂに入力することで、拡大中心点を指定することが可能となっている。プレスキャン直後は、まず入力欄５３ａにフォーカスが当たり、方向ボタン９の上側部又は下側部を操作することで入力欄５３ａ中の横座標の数字（番号）が増大又は減少する。決定ボタン１０を押下すると、次に入力欄５３ｂにフォーカスが移り、方向ボタン９の上側部又は下側部を操作することで入力欄５３ａ中の縦座標の数字（番号）が増大又は減少する。これらの座標選択処理は、ＣＰＵ２１が方向ボタン９及び決定ボタン１０の各操作信号に基づき実行する。その後、決定ボタン１０が押下されると、ＣＰＵ２１は各入力欄５３ａ，５３ｂに表示された各数字を拡大中心位置の座標（横座標と縦座標）としてＲＡＭ２４に保存する。なお、同図では枠Ｋが描かれていないが、拡大中心位置の座標が設定されたときにＣＰＵ２１が領域Ｒを特定する２点の座標を算出し、その算出結果に基づき枠Ｋを表示させることもできる。本実施形態の複合機の上記以外の構成及び処理内容については、第一の実施形態と同様であるため、その説明は省略する。
【００８３】
上記のように構成された複合機１では、以下の手順により、所望の部分（人物等）が画像の中心となる拡大コピーをとることができる。まず、表示装置７にコピーメニューＭ１（図２（ａ）参照）を表示させ、所望の拡大率、用紙サイズ、余白情報および用紙の向きを指定する。このコピーメニューＭ１で「拡大中心指定」の項目を選び、その中で「指定する」を選択してからコピーボタン６を操作すると、プレスキャンが行われ、表示装置７はプレビュー画面Ｍ３となり、プレビュー画像Ｐ、目盛線５１ａ，５１ｂおよび符号列５２ａ，５２ｂが表示される。ユーザは、まず画像Ｐを見て拡大の中心としたい位置を決めると、その位置に該当する横座標と縦座標を符号列５２ａ，５２ｂを見て把握する。そして、最初にフォーカスがたっている入力欄５３ａに方向ボタン９を操作することで横座標を選択し、決定ボタン１０の押下の後、次にフォーカスが当たる入力欄５３ｂに方向ボタン９を操作することで縦座標を選択する。横座標と縦座標の選択を終え、決定ボタン１０を押下すると、拡大中心位置の横座標と縦座標がＲＡＭ２４に記憶されるとともに、本スキャンが行われる。本スキャンで取得された画像データは、先に１点指定された拡大中心位置の座標を用いて算出された２点の座標で特定される領域Ｒを切り出す切出し処理がなされ、次いで拡大処理を含む所定の処理が第一の実施形態と同様に施される。そして、所望の部分が拡大された印刷画像Ｐｓが用紙に印刷される。
【００８４】
以上述べたように本実施形態によれば、以下の効果を得ることができる。
（６）プレビュー画像Ｐ上の所望の点を座標で特定できるように目盛線５１ａ，５１ｂと符号列５２ａ，５２ｂを表示したので、所望の拡大中心位置を横座標と縦座標の組合わせで入力することができる。例えば、方向ボタン９が縦方向と横方向の２方向にしか操作できず、カーソルを任意の位置へ移動させることが実現困難な複合機１においても、拡大中心位置を指定することができる。
【００８５】
（第三の実施形態）
以下に、本発明を具体化した第三の実施形態を、図８に基づいて説明する。
本実施形態の複合機も、拡大中心位置を指定する方法が前記各実施形態と異なる。これ以外の構成は、第一の実施形態と共通しているため、ここでは説明を省略する。
【００８６】
複合機１の原稿台２ａには、原稿載置面（ガラス面）２ｂの外側に縦横各一辺に沿う、目盛線５５ａ，５５ｂと、座標番号からなる符号列５６ａ，５６ｂが付されている。ユーザは、原稿Ｇを原稿載置面２ｂに正規の状態に置くことで、原稿Ｇ上で所望の拡大中心点の縦座標と横座標を、目盛線５５ａ，５５ｂと符号列５６ａ，５６ｂによって把握し、その把握した番号の組合わせで所望する点の座標を指定することが可能である。表示装置７の画面７ａには、コピーメニューＭ１（図２（ａ）参照）と、図７のプレビュー画面Ｍ３における入力欄５３ａ，５３ｂだけを備えたサブメニュー（図示省略）が表示される。この入力欄５３ａ，５３ｂを備えたサブメニューは、コピーメニューＭ１で「拡大中心指定」の項目を選択したときに表示される。
【００８７】
上記のように構成された本実施形態の複合機を使用すれば、以下の手順により、所望の部分が画像の中心となる拡大コピーをすることが可能となる。まず、表示装置７にコピーメニューＭ１を表示させ、所望の拡大率、用紙サイズ、余白情報および用紙の向きを指定する。このコピーメニューＭ１で「拡大中心指定」の項目を選び、その中で「指定する」を選択してからコピーボタン６を操作すると、表示装置７には入力欄５３ａ，５３ｂが表示される。使用者は、原稿台２ａの原稿載置面２ｂに原稿Ｇを置き、目盛線５５ａ，５５ｂと符号列５６ａ，５６ｂから拡大中心としたい点の座標番号を把握し、第二の実施形態と同様に方向ボタン９および決定ボタン１０を操作して、その把握した横座標の番号と縦座標の番号を各入力欄５３ａ，５３ｂに順次入力する。そして、原稿Ｇをその画像面が原稿載置面２ｂと対向する向きに置き直し、コピーボタン６を押下すると、その拡大中心位置の座標がＲＡＭ２４に記憶されるとともに、スキャンが開始される。画像の切り出し処理や拡大処理については、第一の実施形態と同様に行われ、印刷画像Ｐｓが用紙に印刷される。
【００８８】
以上述べたように本実施形態によれば、以下の効果を得ることができる。
（７）原稿台２ａに、目盛線５１ａ，５１ｂと符号列５２ａ，５２ｂを付したことにより、原稿載置面２ｂに置いた原稿Ｇ上で拡大したい点の座標を把握できるようにし、その把握した座標番号を入力することで、拡大中心位置を指定するようにした。よって、原稿Ｇのプレビュー画像Ｐを表示できる表示装置７を備えていない複合機１であっても、拡大中心位置を指定することができる。
【００８９】
（第四の実施形態）
以下に、本発明を具体化した第四の実施形態を、図９、図１０に基づいて説明する。
【００９０】
図１０は、インクジェット式プリンタの斜視図である。画像処理装置としてのプリンタ６１は、その本体６１ａにカードスロット６２ａを有する読取装置６２を搭載する。プリンタ１は、メモリカード６３をカードスロット６２ａにセットすることにより、メモリカード６３から画像データを読み込んで、例えばデジタルカメラで撮影した画像（写真）をホストコンピュータ（ＰＣ）を通さず印刷できる。本体６１ａの背面側には自動給紙装置６４のシートフィーダ６５及びロール紙支持部６６が設けられている。シートフィーダ６５には、単票紙（図示せず）がセットされ、本体６１ａ内部に給紙される。また、ロール紙支持部６６には、ロール紙６７がセットされ、本体６１ａ内部に給紙される。本体６１ａの中央には、カバー６８が設けられ、そのカバー６８内には印刷機構が配設され、その印刷機構の作動により印刷された印刷媒体としての用紙（単票紙又はロール紙）３が前側下部の排紙口６１ｂから排出される。本体６１ａの上面右側には操作パネル６９が設けられている。操作パネル６９は、画面７０ａを有する表示装置７０と、複数の操作スイッチ（操作キー）からなる操作部７１とを備えている。画面７０ａにはメニューがモノクロ表示される。
【００９１】
プリンタ６１の本体６１ａの上部には、メモリカード６３から読み込んだ画像を表示する表示手段を構成する第２表示装置７２が取り付けられている。第２表示装置７２の画面７２ａには、メモリカード６３から読み込んだ画像のプレビュー画像を表示させることができ、プレビュー画像上で拡大印刷したい領域Ｒを指定したり、印刷画像やプリントレイアウトを事前に確認可能である。
【００９２】
図９は、プリンタ６１の電気的構成図である。プリンタ６１は、前記第一の実施形態における複合機１からスキャナ機能を廃止し、かつ読取装置６２を追加するとともに、メニューとプレビュー画面Ｍ２を２つの表示装置７０、７２に別々に表示する点が異なるのみで、その他は前記第１の実施形態における電気的構成と基本的に同じ構成を備えている。
【００９３】
プリンタ６１にはＣＰＵ７３と、ＣＰＵ７３にバス７４を介して接続されたＲＯＭ７５、ＲＡＭ７６、フラッシュメモリ７７、ＡＳＩＣ７８とが搭載されている。
【００９４】
ＣＰＵ７３は操作パネル６９を制御するユーザインターフェース（ＵＩ）基板７９と接続され、ＲＯＭ７５の制御プログラム及びメニュー画像データに基づきＵＩ基板７９を介して画面７０ａの表示制御を行う。また、操作部７１には、方向ボタン９、決定ボタン１０、中止ボタン１１、キャンセルボタン１２および印刷実行ボタン８０が設けられている。ＣＰＵ７３は、方向ボタン９および決定ボタン１０の操作信号に基づき、画面７０ａに表示されたメニューで指定された各種印刷パラメータをＲＡＭ７６に設定する。
【００９５】
また、ＣＰＵ７３は表示制御部８１を介して第２表示装置７２を表示制御する。表示制御部８１は入力側がバス７４に、出力側が第２表示装置７２に接続されている。ＲＡＭ７６の所定記憶領域がスクリーンメモリとして使用される。ＣＰＵ７３は画像データをＲＡＭ７６のスクリーンメモリに書き込むことで表示制御部８１を介して第２表示装置７２にプレビュー画像を表示させる。また、バス７４にはインターフェース（Ｉ／Ｆ）８２を介して読取装置６２が接続されており、ＣＰＵ７３は読取装置６２からメモリカード６３に記憶された画像データ等を読み取る。
【００９６】
ＣＰＵ７３はメモリカード６３から画像を選択するメニュー（図示せず）を画面７０ａに表示する。このメニューで画像番号を選択してから決定ボタン１０が押下されると、ＣＰＵ７３はその画像番号に対応する画像データをメモリカード６３から読み出し、その画像Ｐを第２表示装置７２の画面７２ａに表示する。
【００９７】
また、ＣＰＵ７３は拡大印刷メニューＭ４を画面７０ａに表示する。拡大印刷メニューＭ４は、第一の実施形態におけるコピーメニューＭ１と同じ項目が用意されたもので、第一の実施形態が拡大コピーを対象とするのに対し、本実施形態が拡大印刷を対象とする点が異なるだけで、用意された設定項目そのものは同じである。この拡大印刷メニューＭ４で、拡大率、用紙サイズ、余白情報（レイアウト情報）、用紙の向きなどの印刷パラメータを選択した後、決定ボタン１０を押下する。すると、ＣＰＵ７３はメモリカード６３から指定の画像番号に対応する画像データを読み出し、その画像Ｐを組み込んだプレビュー画面Ｍ２を第２表示装置７２の画面７２ａに表示する。このプレビュー画面Ｍ２は、第一の実施形態と同様の表示構成で、プレビュー画像Ｐと、拡大中心位置を示すカーソルＣと、拡大される領域Ｒを示す枠Ｋが表示される。このプレビュー画面Ｍ２における拡大中心位置の指定方法も第一の実施形態とすべて同様である。すなわち、プレビュー画像Ｐ上のカーソルＣを方向ボタン９の操作によって所望の位置に移動させ、決定ボタン１０を押下することで拡大印刷したい領域Ｒを指定する。拡大中心位置の座標から領域Ｒを特定する２点の座標を求める計算方法は、第一の実施形態と同様である。なお、第２表示装置７２、ＣＰＵ７３及び表示制御部８１によって、表示手段が構成される。
【００９８】
ＡＳＩＣ７８は、前記第一の実施形態におけるものと同じ画像処理部２７と印刷処理部２８を備えている。画像処理部２７は、フィルタ処理部４０を備え、フィルタ処理部４０は、切り出し処理部４１と拡大処理部４２を備えている。画像処理部２７には読取装置６２で読み取られたメモリカード６３からの画像データが転送され、この画像データに切り出し処理部４１による切り出し処理と拡大処理部４２による拡大処理が施される。また、ＡＳＩＣ７８には、紙送りモータ３３、記録ヘッド３４及びキャリッジモータ３５の他、ロール紙駆動用モータ８３が電気的に接続されている。
【００９９】
上記のように構成された本実施形態のプリンタ６１を使用すれば、以下の手順により、メモリカード６３の画像を画面７２ａに表示し、その画像Ｐ上で所望の領域Ｒを指定して拡大印刷することが可能となる。まず、第１表示装置７０にコピーメニューＭ１を表示させ、所望の拡大率、用紙サイズ、余白情報および用紙の向きを指定する。このコピーメニューＭ１で「拡大中心指定」の項目を選び次に「指定する」を選択してから印刷実行ボタン８０を操作すると、第２表示装置７２には、指定の画像番号に対応する画像Ｐが組み込まれたプレビュー画面Ｍ２（図６も参照）が表示される。そして、方向ボタン９を操作してプレビュー画像Ｐ上のカーソルＣを所望の拡大中心点に移動させる。このとき枠ＫはカーソルＣに追従して移動する。決定ボタン１０の操作によって拡大中心位置を確定することで、印刷処理が開始する。拡大中心位置指定後の処理（領域計算処理、切り出し処理、拡大処理等）は、前記第一の実施形態と同様である。
【０１００】
以上述べたように本実施形態によれば、拡大コピーが拡大印刷に替わるものの、前記第一の実施形態における効果（１）〜（４）が同様に得られる他、以下の効果を得ることができる。
【０１０１】
（８）メモリカード６３から読み込んだ画像のプレビュー画像Ｐを第２表示装置７２に表示させ、この画像Ｐ上でカーソルＣを移動させカーソルＣの位置を指定することで画像Ｐ中の拡大印刷したい領域Ｒを設定でき、その領域Ｒの拡大印刷を得ることができる。
【０１０２】
なお、実施形態は前記に限定されず、以下の態様にしてもよい。
（変形例１）領域を知らせるために枠を表示したが、領域を視認できれば枠に限らない。例えば領域内を画像が見られるように透明に着色された色領域を表示させてもよい。
【０１０３】
（変形例２）第一の実施形態において、プレビュー画像Ｐを表示させたが、拡大中心位置を指定した後、実際に印刷される拡大画像を表示させることができる。拡大画像が表示されることにより、事前に印刷画像を確認でき、また、そのことにより印刷ミスを防止することができる。
【０１０４】
（変形例３）第一の実施形態において、プレビュー画面上に、印刷領域を示す枠が表示されるが、この枠は表示されなくともよい。
（変形例４）第一の実施形態において、プレビュー画面上に表示されるカーソルで、拡大の中心位置を指定しているが、表示装置上にタッチパネル等の入力手段を設けて、直接指定できるようにしてもよい。
【０１０５】
（変形例５）第一の実施形態では、拡大中心の指定を行うカーソルを方向ボタンで移動させていたが、方向ボタンの替わりにジョイスティックなどの方向レバーで移動させてもよい。
【０１０６】
（変形例６）前記実施形態では、印刷領域を特定するための拡大率や用紙サイズは設定画面で変更可能であるが、その一方あるいは両方は、変更不可能な規定値であってもよい。
【０１０７】
（変形例７）拡大画像の領域を決めるパラメータである、拡大中心位置、用紙サイズ、拡大率を操作部８を操作して入力する構成としたが、拡大中心位置以外の情報、すなわち、指定された拡大率、用紙サイズ、余白係数、用紙の向き原稿サイズなどの印刷パラメータは、予めＲＯＭに記憶された固定値でもよい。この場合、入力数を減らすことにより、元画像の所望領域を指定する際の入力の手間を減らすことができる。もちろん、紙サイズと倍率のうちいずれか一方のみを固定の値としてもよい。例えば紙サイズを「Ａ４」に固定するか、倍率を「１５０倍」に固定する。
【０１０８】
（変形例８）用紙サイズは、スキャニング時に原稿サイズ検出センサが検出した原稿サイズを使用することもできる。また、用紙の頭出し位置を検出する紙検出センサにより検出された用紙サイズを使用することもできる。この場合、前回の頭出し位置検出において検出された用紙サイズを流用するか、新規にセットされた用紙を例えばプレスキャン時に頭出し動作させて現在の用紙サイズを検出させてもよい。また、デジタルカメラで撮影された画像データをメモリカードから読み込んで印刷する場合は、デジタルカメラで設定された印刷属性情報から用紙サイズを取得し使用することもできる。
【０１０９】
（変形例９）前記第二および第三の実施形態では、プレビュー画像Ｐまたは原稿載置面２ｂの外周部に、拡大中心位置の座標を特定するための符号として番号（数字）を採用したが、数字以外のアルファベットなどの文字や記号でもよい。
【０１１０】
（変形例１０）前記第二の実施形態では、プレビュー画面Ｍ３に目盛線５１ａ，５１ｂを表示したが、この目盛線は表示されなくてもよい。目盛線がなくとも概略の位置は指定可能である。
【０１１１】
（変形例１１）第三の実施形態の構成は、複合機１に限定されず、原稿台を有するスキャナに適用してもよい。
（変形例１２）第三の実施形態において、特許文献１に記載された透明ファイルを使用し、原稿Ｇを透明ファイルに挟み込んで、拡大したい領域の中心点を把握し、その把握した中心点の座標を方向ボタン９を操作して入力欄５３ａ，５３ｂに入力する構成を採用することができる。この場合、用紙サイズや拡大率などコピー条件（印刷パラメータ）以外は、拡大させたい領域Ｒを指定するための入力は拡大中心位置のみの１点指定で済む。
【０１１２】
（変形例１３）前記第四の実施形態において、プレビュー画面Ｍ２に替え、第二の実施形態おけるプレビュー画面Ｍ３を第２表示装置７２に表示させる構成を採用することができる。
【０１１３】
（変形例１４）前記実施形態では、プリンタおよび複合機に適用したが、複写機にも当然適用可能である。さらにスキャナであってもよい。この場合、スキャナは読取った画像の一部を拡大して保存または出力する。
【０１１４】
以下、前記各実施形態及び変形例から把握される技術的思想を以下に記載する。
（１）原画像の変倍中心位置を指定する中心位置指定手段と、前記変倍中心位置と変倍率とサイズ情報とに基づいて、前記原画像が前記変倍中心位置を中心として前記変倍率で前記サイズ情報から定まるサイズ内で変倍された変倍画像の当該原画像における変倍前の領域を特定する画像領域特定手段とを備えたことを特徴とする画像処理装置。
【０１１５】
（２）請求項１において、前記画像領域特定手段により特定される前記領域は、印刷領域である。
（３）請求項１において、前記サイズ情報は前記変倍画像が印刷される印刷媒体の印刷媒体サイズであって、該印刷媒体サイズを検出する検出手段を備え、
前記画像領域特定手段は、前記検出手段が印刷媒体を検出して得た印刷媒体サイズを基に前記サイズを求める。
【０１１６】
（４）請求項４において、前記符号列は前記画面の周縁の少なくとも２辺に沿って表示される。
（５）請求項２において、前記画像取得手段は、原稿をスキャニングして前記画像データを取得する画像読取手段である。
【０１１７】
（６）請求項２において、前記画像取得手段は、記憶媒体から前記画像データを取得するデータ読取手段である。
（７）上記技術的思想（６）において、前記サイズ情報は、前記データ読取手段が前記記憶媒体から前記画像データと共に読み出した印刷属性情報から取得した印刷媒体サイズである。
【０１１８】
（８）請求項２において、前記出力手段は、前記変倍手段により変倍処理された前記画像データに基づき変倍画像を印刷する印刷手段である。
（９）請求項６において、前記原稿台は、原稿をスキャニングして原画像の画像データを読み取る画像読取手段に備えられスキャニングされる原稿が載置される原稿台である。画像読取手段はスキャナにより構成される。
【０１１９】
（１０）請求項１〜６のいずれか一項において、前記サイズ情報を記憶する記憶手段を備え、前記画像領域特定手段が前記領域を特定する際に用いる前記サイズ情報は、前記記憶手段から読み出されることを特徴とする。
【０１２０】
（１１）請求項１〜６のいずれか一項において、前記変倍率を記憶する記憶手段を備え、前記画像領域特定手段が前記領域を特定する際に用いる前記変倍率は、前記記憶手段から読み出されることを特徴とする。
【０１２１】
（１２）原画像を変倍する際の変倍中心位置を指定する中心位置指定手段と、変倍率と前記原画像における変倍される領域のサイズを特定するサイズ情報とを含む印刷パラメータを記憶する記憶手段と、前記変倍中心位置と前記変倍率と前記サイズ情報に基づいて、前記原画像における変倍される領域を特定する画像領域特定手段とを備えたことを特徴とする画像処理装置。
【０１２２】
（１３）原画像の画像データを取得する画像取得手順と、前記原画像の画像データから前記画像領域特定手順により特定された前記領域を切り出す切出手順と、前記切出手順により切り出された画像データに前記変倍率の変倍処理を施す変倍手順と、前記変倍手順により変倍処理された前記画像データに基づく画像を出力する出力手順とを備えた画像処理方法。
【０１２３】
（１４）前記中心位置指定手順は、前記変倍中心位置を指示するための指示体を前記原画像と共に表示手段の画面に表示する表示手順と、前記操作手段の操作で指示された方向に前記指示体を移動させる表示制御手順と、前記指示体によって指示された前記変倍中心位置を前記操作手段の操作により取得する手順とを備えた画像処理方法。
【図面の簡単な説明】
【図１】第一の実施形態における複合機の斜視図。
【図２】複合機のコントロールパネルの主要部を示す平面図。
【図３】複合機の電気的構成を示すブロック図。
【図４】拡大中心位置指定から印刷までの処理内容を示すフローチャート。
【図５】印刷領域を特定し拡大するまでの処理を示す説明図。
【図６】拡大コピーの流れを示す説明図。
【図７】第二の実施形態における拡大中心位置指定方法の説明図。
【図８】第三の実施形態における拡大中心位置指定方法の説明図。
【図９】第四の実施形態におけるプリンタの電気的構成を示すブロック図。
【図１０】プリンタの斜視図。
【図１１】従来技術における拡大コピー処理の説明図。
【符号の説明】
１…画像処理装置及び印刷装置としての複合機（ＳＰＣ装置）、２…画像取得手段、画像読取手段としてのスキャナ部、２ａ…原稿台、２ｂ…原稿載置面、３…印刷媒体としての用紙、６…コピーボタン、７…表示手段を構成する表示装置、７ａ…画面、８…操作手段、中心位置指定手段、変倍率指定手段、サイズ指定手段としての操作部、９…操作手段、中心位置指定手段、変倍率指定手段、サイズ指定手段を構成する方向ボタン、１０…操作手段、中心位置指定手段、変倍率指定手段、サイズ指定手段を構成する決定ボタン、２１，７３…画像領域特定手段、表示制御手段、領域表示手段、演算手段を構成するＣＰＵ、２３，７５…画像領域特定手段、表示制御手段、領域表示手段を構成するＲＯＭ、２４，７６…記憶手段としてのＲＡＭ、２５，７８…ＡＳＩＣ、２６…画像取得手段及び画像読取手段を構成するスキャナ画像処理部、２７…画像処理部、２８…出力手段及び印刷手段を構成する印刷処理部、２８ａ…出力手段及び印刷手段を構成するヘッド制御部、３０…メモリ、３１…画像取得手段及び画像読取手段を構成するＣＣＤ、３４…出力手段を構成する記録ヘッド、３６，８１…表示手段を構成する表示制御部、４１…切出手段としての切り出し処理部、４２…変倍手段としての拡大処理部、５１ａ，５１ｂ…目盛線、５２ａ，５２ｂ…符号群としての符号列（符号）、５３ａ，５３ｂ…入力欄、５５ａ，５５ｂ…目盛線、５６ａ，５６ｂ…符号群としての符号列（符号）、６１…画像処理装置及び印刷装置としてのプリンタ、６２…画像取得手段としての読取装置、６３…記憶媒体としてのメモリカード、７０…表示手段を構成する第１表示装置、７０ａ…画面、７２…表示手段を構成する第２表示装置、７２ａ…画面、Ｐ…プレビュー画像、Ｐｓ…印刷画像、Ｇ…原稿、Ｃ…指示体としてのカーソル、Ｒ…領域、Ｍ１…コピーメニュー、Ｍ２，Ｍ３…プレビュー画面、Ｍ４…拡大印刷メニュー。
【図１】
2005005768.tif 000003
【図２】
2005005768.tif 000004
【図３】
2005005768.tif 000005
【図４】
2005005768.tif 000006
【図５】
2005005768.tif 000007
【図６】
2005005768.tif 000008
【図７】
2005005768.tif 000009
【図８】
2005005768.tif 000010
【図９】
2005005768.tif 000011
【図１０】
2005005768.tif 000012
【図１１】
2005005768.tif 000013